(57)【要約】      （修正有）【課題】接触による破損を防止し、小物掛け用フックと差別化した使用勝手の良好なキーホルダー保持装置を提供する。【解決手段】キーホルダー保持装置Ｋは、単数又は複数のカギ３を取り付けるカギ取り付け用リング１ａと、カギ取り付け用リング１ａを取り付ける擬似キー１ｂとを備えたキーホルダー１と、壁等に取り付けられ、擬似キー１ｂを装着できるキー穴６を備えたキーキャッチ本体２からなる。擬似キー１ｂは、手で摘むつまみ部１ｂ１と、このつまみ部１ｂ１より長手方向に延びる長手部１ｂ２と、この長手部１ｂ２の長手方向より側方に張り出す張出部１ｂ３とを備え、キー穴６は、キーキャッチ本体２の表側部材２ｂを貫通して形成され、キー穴６に装着された擬似キー１ｂの回動を許容する空間をキーキャッチ本体２内に設ける。【選択図】図１
0003152218.tif 000002
【実用新案登録請求の範囲】
【請求項１】
単数又は複数のカギを取り付けるカギ取り付け用リングと、
このカギ取り付け用リングを取り付けると共に、擬似キーを備えたキーホルダーと、
壁等に取り付けられ、前記擬似キーを装着できるキー穴を備えたキーキャッチ本体と、
このキーキャッチ本体のキー穴に入れられた前記擬似キーが前記キー穴から離脱しないように、前記擬似キーを支持する支持部を前記キーキャッチ本体内に設けた
ことを特徴とするキーホルダー保持装置。
【請求項２】
単数又は複数のカギを取り付けるカギ取り付け用リングと、
このカギ取り付け用リングを取り付けると共に、擬似キーを備えたキーホルダーと、
壁等に取り付けられ、前記擬似キーを装着できるキー穴を備えたキーキャッチ本体と、
前記擬似キーは、手で摘むつまみ部と、このつまみ部より長手方向に延びる長手部と、
この長手部の長手方向より側方に張り出す張出部とを備え、
前記キー穴は、前記キーキャッチ本体の表側部材を貫通して形成され、
前記キー穴に装着された前記擬似キーの回動を許容する空間を前記キーキャッチ本体内に設け、前記空間は、前記キー穴に連通する
ことを特徴とするキーホルダー保持装置。
【請求項３】
キーキャッチ本体のキー穴に入れられた擬似キーを前記キー穴の外へと導くガイドが設けられ、該ガイドが表側部材の裏面側に設けられている
ことを特徴とする請求項２記載のキーホルダー保持装置。
【請求項４】
単数又は複数のカギを取り付けるカギ取り付け用リングと、
このカギ取り付け用リングを取り付けると共に、擬似キーを備えたキーホルダーと、
壁等に取り付けられ、前記擬似キーを装着できるキー穴を備えたキーキャッチ本体と、
前記擬似キーは、手で摘むつまみ部と、このつまみ部より長手方向に延びる長手部と、この長手部の長手方向より側方に張り出す張出部とを備え、
前記キー穴は、前記キーキャッチ本体の表側部材を貫通して形成され、
前記キーキャッチ本体のキー穴に入れられた前記擬似キーが前記キー穴から離脱しないように、前記擬似キーを支持する支持部を前記キーキャッチ本体内に設けられ、
前記擬似キーを支持する支持部は、前記キー穴を有したキー穴周縁部材で、
このキー穴周縁部材に、少なくとも、前記長手部を嵌合させて前記擬似キーが支持されている
ことを特徴とするキーホルダー保持装置。
【請求項５】
単数又は複数のカギを取り付けるカギ取り付け用リングと、
このカギ取り付け用リングを取り付けると共に、擬似キーを備えたキーホルダーと、
壁等に取り付けられ、前記擬似キーを装着できるキー穴を備えたキーキャッチ本体と、
前記擬似キーは、手で摘むつまみ部と、このつまみ部より長手方向に延びる長手部と、この長手部の長手方向より側方に張り出す張出部とを備え、
前記キー穴は、前記キーキャッチ本体の表側部材を貫通して形成され、
前記キーキャッチ本体のキー穴に入れられた前記擬似キーが前記キー穴から離脱しないように、前記擬似キーを支持する支持部を前記キーキャッチ本体内に設けられ、
前記擬似キーを支持する支持部は、前記キー穴を有したキー穴周縁部材で、
このキー穴周縁部材に、前記長手部及び前記張出部を嵌合させて前記擬似キーが支持されている
ことを特徴とするキーホルダー保持装置。
【考案の詳細な説明】
【技術分野】
【０００１】
本考案は、キーホルダー保持装置に係り、特に、使用勝手の良好なキーホルダー保持装置に関する。
【背景技術】
【０００２】
ルームキー等のキーの保持を目的とした壁取付け鍵掛け具がある（例えば、特許文献１参照）。
【先行技術文献】
【特許文献】
【０００３】
【特許文献１】意匠登録第１０６２３５８号公報  使用状態を示す参考斜視図
【考案の概要】
【考案が解決しようとする課題】
【０００４】
上述の壁取付け鍵掛け具は、キーを掛けるキーフックを有しているが、キーの装着の有無に関わらず、キーフックが、常時、壁等の取付部位から突出しているため、該キーフックに接触し、該キーフックが破損したり、また、キーを掛けることを習慣化させるには一般的な小物掛け用フックでは差別化に欠け、習慣化の動機付けとしては弱いという問題点があった。
【０００５】
本考案は、上記の問題点を除去するようにしたキーホルダー保持装置を提供することを目的とする。
【課題を解決するための手段】
【０００６】
請求項１記載のキーホルダー保持装置は、単数又は複数のカギを取り付けるカギ取り付け用リングと、このカギ取り付け用リングを取り付けると共に、擬似キーを備えたキーホルダーと、壁等に取り付けられ、前記擬似キーを装着できるキー穴を備えたキーキャッチ本体と、このキーキャッチ本体のキー穴に入れられた前記擬似キーが前記キー穴から離脱しないように、前記擬似キーを支持する支持部を前記キーキャッチ本体内に設けたものである。
【０００７】
また、請求項２記載のキーホルダー保持装置は、単数又は複数のカギを取り付けるカギ取り付け用リングと、このカギ取り付け用リングを取り付けると共に、擬似キーを備えたキーホルダーと、壁等に取り付けられ、前記擬似キーを装着できるキー穴を備えたキーキャッチ本体と、前記擬似キーは、手で摘むつまみ部と、このつまみ部より長手方向に延びる長手部と、この長手部の長手方向より側方に張り出す張出部とを備え、前記キー穴は、前記キーキャッチ本体の表側部材を貫通して形成され、前記キー穴に装着された前記擬似キーの回動を許容する空間を前記キーキャッチ本体内に設け、前記空間は、前記キー穴に連通するるものである。
【０００８】
また、請求項３記載のキーホルダー保持装置は、請求項２記載のキーホルダー保持装置において、キーキャッチ本体のキー穴に入れられた擬似キーを前記キー穴の外へと導くガイドが設けられ、該ガイドが表側部材の裏面側に設けられているものである。
【０００９】
また、請求項４記載のキーホルダー保持装置は、単数又は複数のカギを取り付けるカギ取り付け用リングと、このカギ取り付け用リングを取り付けると共に、擬似キーを備えたキーホルダーと、壁等に取り付けられ、前記擬似キーを装着できるキー穴を備えたキーキャッチ本体と、前記擬似キーは、手で摘むつまみ部と、このつまみ部より長手方向に延びる長手部と、この長手部の長手方向より側方に張り出す張出部とを備え、前記キー穴は、前記キーキャッチ本体の表側部材を貫通して形成され、前記キーキャッチ本体のキー穴に入れられた前記擬似キーが前記キー穴から離脱しないように、前記擬似キーを支持する支持部を前記キーキャッチ本体内に設けられ、前記擬似キーを支持する支持部は、前記キー穴を有したキー穴周縁部材で、このキー穴周縁部材に、少なくとも、前記長手部を嵌合させて前記擬似キーが支持されているものである。
【００１０】
また、請求項５記載のキーホルダー保持装置は、単数又は複数のカギを取り付けるカギ取り付け用リングと、このカギ取り付け用リングを取り付けると共に、擬似キーを備えたキーホルダーと、壁等に取り付けられ、前記擬似キーを装着できるキー穴を備えたキーキャッチ本体と、前記擬似キーは、手で摘むつまみ部と、このつまみ部より長手方向に延びる長手部と、この長手部の長手方向より側方に張り出す張出部とを備え、前記キー穴は、前記キーキャッチ本体の表側部材を貫通して形成され、前記キーキャッチ本体のキー穴に入れられた前記擬似キーが前記キー穴から離脱しないように、前記擬似キーを支持する支持部を前記キーキャッチ本体内に設けられ、前記擬似キーを支持する支持部は、前記キー穴を有したキー穴周縁部材で、このキー穴周縁部材に、前記長手部及び前記張出部を嵌合させて前記擬似キーが支持されているものである。
【考案の効果】
【００１１】
請求項１記載のキーホルダー保持装置によれば、キーキャッチ本体のキー穴に入れられた擬似キーが前記キー穴から離脱しないように、前記擬似キーを支持する支持部を前記キーキャッチ本体内に設けたため、擬似キーが装着される前にあっては、キーキャッチ本体より突出せず、破損を防止でき、擬似キーが装着された後にあっては、キーキャッチ本体より突出し、擬似キーの所在が明確となり、使用勝手の良好なキーホルダー保持装置を得ることができ、また、擬似キーを備えたキーホルダーは、キーホルダー本来の機能を有しているため、カギの持ち歩きに便利で、しかも、擬似キーをキー穴に掛ける（装着する）という特殊性で差別化を図って、保管場所を習慣化させることができる。
【００１２】
また、請求項２記載のキーホルダー保持装置によれば、擬似キーが装着される前にあっては、キーキャッチ本体より突出せず、破損を防止でき、擬似キーが装着された後にあっては、キーキャッチ本体より突出し、擬似キーの所在が明確となり、使用勝手の良好なキーホルダー保持装置を得ることができ、しかも、キー穴は、キーキャッチ本体の表側部材を貫通して形成され、前記キー穴に装着された前記擬似キーの回動を許容する空間を前記キーキャッチ本体内に設け、前記空間は、前記キー穴に連通するため、キーキャッチ本体のキー穴に入れられた擬似キーを回動すれば、前記擬似キーの張出部が表側部材の裏面に接触し、擬似キーが前記キー穴から離脱するのを防ぐことができ、また、擬似キーを備えたキーホルダーは、キーホルダー本来の機能を有しているため、カギの持ち歩きに便利で、しかも、擬似キーをキー穴に掛ける（装着する）という特殊性で差別化を図って、保管場所を習慣化させることができる。
【００１３】
また、請求項３記載のキーホルダー保持装置によれば、上述した請求項２記載の考案の効果に加え、キーキャッチ本体のキー穴に入れられた擬似キーを前記キー穴の外へと導くガイドが設けられ、該ガイドが表側部材の裏面側に設けられているため、キーキャッチ本体のキー穴に入れられた擬似キーを回動し、擬似キーをキーキャッチ本体で支持した後、擬似キーをキーキャッチ本体から抜き取る場合、前記回動と逆方向に回動して、前記擬似キーをガイドに接触させ、その後、擬似キーを抜き取れば、擬似キーをキー穴から容易に離脱させることができる。
【００１４】
また、請求項４記載のキーホルダー保持装置によれば、キーキャッチ本体のキー穴に入れられた擬似キーが前記キー穴から離脱しないように、前記擬似キーを支持する支持部を前記キーキャッチ本体内に設け、前記支持部は、前記キー穴を有したキー穴周縁部材で、このキー穴周縁部材に、少なくとも、前記擬似キーの長手部を嵌合させて前記擬似キーが支持されているため、擬似キーが装着される前にあっては、キーキャッチ本体より突出せず、破損を防止でき、擬似キーが装着された後にあっては、キーキャッチ本体より突出し、擬似キーの所在が明確となり、使用勝手の良好なキーホルダー保持装置を得ることができ、また、擬似キーを備えたキーホルダーは、キーホルダー本来の機能を有しているため、カギの持ち歩きに便利で、しかも、擬似キーをキー穴に掛ける（装着する）という特殊性で差別化を図って、保管場所を習慣化させることができる。
【００１５】
また、請求項５記載のキーホルダー保持装置によれば、キーキャッチ本体のキー穴に入れられた擬似キーが前記キー穴から離脱しないように、前記擬似キーを支持する支持部を前記キーキャッチ本体内に設け、前記支持部は、前記キー穴を有したキー穴周縁部材で、このキー穴周縁部材に、前記擬似キーの長手部及び張出部を嵌合させて前記擬似キーが支持されているため、擬似キーが装着される前にあっては、キーキャッチ本体より突出せず、破損を防止でき、擬似キーが装着された後にあっては、キーキャッチ本体より突出し、擬似キーの所在が明確となり、使用勝手の良好なキーホルダー保持装置を得ることができ、また、擬似キーを備えたキーホルダーは、キーホルダー本来の機能を有しているため、カギの持ち歩きに便利で、しかも、擬似キーをキー穴に掛ける（装着する）という特殊性で差別化を図って、保管場所を習慣化させることができる。
【図面の簡単な説明】
【００１６】
【図１】図１は、本考案の一実施例のキーホルダー保持装置を分解して示す概略的分解斜視図である。
【図２】図２は、図１の擬似キーがキー穴に装着される前の状態の概略的断面図である。
【図３】図３は、図２の３−３線による概略的断面図である。
【図４】図４は、図２の４−４線による概略的断面図である。
【図５】図５は、図２の擬似キーがキー穴に装着された状態の概略的断面図である。
【図６】図６は、図５の６−６線による概略的断面図である。
【図７】図７は、図５の擬似キーがキー穴に装着され、前記擬似キーが回動した状態の概略的断面図である。
【図８】図８は、図７の８−８線による概略的断面図である。
【図９】図９は、図２の擬似キーがキー穴に嵌め込まれた状態の概略的断面図である。
【図１０】図１０は、図９の１０−１０線による概略的断面図である。
【図１１】図１１は、図９の擬似キーがキー穴に装着される前の状態の図１０に対応する
【図１２】図１２は、図２の１２−１２線による概略的断面図である。
【考案を実施するための形態】
【００１７】
本考案の一実施例のキーホルダー保持装置を図面を参照して説明する。
図１に示すＫは、キーホルダー１を保持するキーホルダー保持装置で、このキーホルダー保持装置Ｋは、キーホルダー１と、このキーホルダー１を装着するキーキャッチ本体２とから概略的に構成されている。
キーホルダー１は、カギ取り付け用リング１ａを取り付けると共に、擬似キー１ｂを備えている。
上述のカギ取り付け用リング１ａは、単数又は複数のカギ３を取り付けるもので、例えば、本実施例では、カギ３を２個取り付けている。
また、擬似キー（錠をあける本物のキーではなく偽のキー）１ｂは、手で摘むつまみ部１ｂ１と、このつまみ部１ｂ１より長手方向に延びる長手部１ｂ２と、この長手部１ｂ２の長手方向より側方に張り出す張出部１ｂ３とを備えている。
【００１８】
キーキャッチ本体２は、壁４等に両面テープ５を介して取り付けられ（図２参照）、
擬似キー１ｂを装着できるキー穴６を備えている。
このキーキャッチ本体２は、壁４等に面する側に位置する裏側部材２ａと、この裏側部材２ａに対面する位置にある表側部材２ｂとを有する。
キー穴６は、キーキャッチ本体２の表側部材２ｂを貫通してキーキャッチ本体２内に臨むよう形成されている。
そして、キーキャッチ本体２のキー穴６に入れられた擬似キー１ｂがキー穴６から離脱しないように、擬似キー１ｂを支持する後述する支持部（該支持部は、表側部材２ｂの裏面、ガイドＧ、キー穴周縁部材６ａである。）をキーキャッチ本体２内に設けている。
Ｇは、キーキャッチ本体２のキー穴６に入れられた擬似キー１ｂをキー穴６の外へと導くガイドで、該ガイドＧは表側部材２ｂの裏面側に設けられている。
【００１９】
従って、上述したキーホルダー保持装置Ｋによれば、擬似キー１ｂが装着される前にあっては、従来のようなフックのような突出物がなく、突出物がない分、フックの破損を防止でき（図２〜図４参照）、擬似キー１ｂが装着された後にあっては（図５〜図８参照）、キーキャッチ本体２より突出し、擬似キー１ｂの所在が明確となり、使用勝手の良好なキーホルダー保持装置Ｋを得ることができ、また、擬似キー１ｂを備えたキーホルダー１は、キーホルダー１本来の機能を有しているため、カギ３の持ち歩きに便利で、しかも、擬似キー１ｂをキー穴６に掛ける（装着する）という特殊性で差別化を図って、保管場所を習慣化させることができる。
また、キー穴６は、キーキャッチ本体２の表側部材２ｂを貫通して形成され、キー穴６に装着された擬似キー１ｂの回動を許容する空間Ｓをキーキャッチ本体２内に設け、空間Ｓは、キー穴６に連通するため、キーキャッチ本体２のキー穴６に入れられた擬似キー１ｂを回動、つまり、図５の状態から図７の状態に回動すれば、擬似キー１ｂの張出部１ｂ３が表側部材２ｂの裏面に接触し、擬似キー１ｂがキー穴６から離脱するのを防ぐことができる。
なお、キーキャッチ本体２のキー穴６に入れられた擬似キー１ｂを回動して、擬似キー１ｂの張出部１ｂ３を表側部材２ｂの裏面に接触させ、擬似キー１ｂがキー穴６から離脱するのを防ぐようにしたが、回動しなくても、擬似キー１ｂをキー穴６に装着した状態でも、擬似キー１ｂをキーキャッチ本体２で保持することができる。かかる場合の擬似キー１ｂを支持する支持部は、ガイドＧとなる。
【００２０】
そして、キーキャッチ本体２のキー穴６に入れられた擬似キー１ｂを回動し、擬似キー１ｂをキーキャッチ本体２で支持した後、擬似キー１ｂをキーキャッチ本体２から抜き取る際、擬似キー１ｂを上述の回動と逆方向に回動すると、擬似キー１ｂの回動の動きは、ガイドＧにより規制され、規制後、擬似キー１ｂをガイドＧに沿って、キーキャッチ本体２の外方へと移動すれば、擬似キー１ｂはガイドＧによりキー穴６の外へと導かれ、擬似キー１ｂをキー穴６から容易に離脱させることができる。
【００２１】
また、擬似キー１ｂを支持する支持部は、図９〜図１２に示すように、キー穴６を有したキー穴周縁部材６ａで構成しても良い。
即ち、擬似キー１ｂの長手部１ｂ２及び張出部１ｂ３の断面形状がキー穴６よりやや大きく形成され、例えば、擬似キー１ｂの長手部１ｂ２の直径Ｄ、張出部１ｂ３の厚みＴ（図２及び図１２参照）、キー穴６の円の直径ｄ、キー穴６の長孔の幅ｔ（図９及び図１１参照）とすれば、Ｄ＞ｄ、Ｔ＞ｔの関係に設定する。そして、弾性変形するキー穴周縁部材６ａに、擬似キー１ｂの長手部１ｂ２及び張出部１ｂ３を嵌合させて擬似キー１ｂを支持するようにする（図９及び図１０参照）。
なお、本実施例においては、キー穴周縁部材６ａに、擬似キー１ｂの長手部１ｂ２及び張出部１ｂ３を嵌合させて擬似キー１ｂを支持するようにしたが、本考案にあってはこれに限らず、キー穴周縁部材６ａに、少なくとも、擬似キー１ｂの長手部１ｂ２を嵌合させて擬似キー１ｂを支持するようにしても良い。
【符号の説明】
【００２２】
Ｋ      キーホルダー保持装置
Ｓ      空間
１      キーホルダー
１ａ    カギ取り付け用リング
１ｂ    擬似キー
１ｂ１  手で摘むつまみ部
１ｂ２  長手部
１ｂ３  張出部
２      キーキャッチ本体
３      カギ
４      壁
６      キー穴
【図１】
0003152218.tif 000003
【図２】
0003152218.tif 000004
【図３】
0003152218.tif 000005
【図４】
0003152218.tif 000006
【図５】
0003152218.tif 000007
【図６】
0003152218.tif 000008
【図７】
0003152218.tif 000009
【図８】
0003152218.tif 000010
【図９】
0003152218.tif 000011
【図１０】
0003152218.tif 000012
【図１１】
0003152218.tif 000013
【図１２】
0003152218.tif 000014